(57)【要約】【課題】ロースタ調理においてロースタ庫内のお手入れにより、操作性と安全性を向上すること。【解決手段】ロースタ庫内２０に収納した食品を加熱する加熱手段２１と、ロースタ庫内２０の温度を検出する温度検出手段２２と、温度検知手段２２から検出される温度で加熱手段２１を駆動してロースタ庫内２０の汚れを焼ききってロースタ庫内２０のお手入れ動作をする制御手段２３とを備えることにより、操作性と安全性を向上することができる。【選択図】図３
2006294433.tif 000002
【特許請求の範囲】
【請求項１】
ロースタ庫内に収納した食品を加熱する加熱手段と、前記ロースタ庫内の温度を検出する温度検出手段と、前記温度検知手段から検出される温度で前記加熱手段を駆動して前記ロースタ庫内の汚れを焼ききってロースタ庫内のお手入れ動作をする制御手段とを備えたことを特徴とする誘導加熱調理器。
【請求項２】
残時間表示手段を有し、制御手段は、温度検出手段の検出温度によりお手入れ動作の残時間を変更して前記残時間表示手段に表示することを特徴とする請求項１に記載の誘導加熱調理器。
【請求項３】
残時間表示は、お手入れ動作の残時間が確定するまでは、あらかじめ決められたまたはその時点の温度検出手段からの検出温度に応じた残時間を点滅させて、残時間が確定すると残時間を点灯させることを特徴とする請求項１または２に記載の誘導加熱調理器。
【請求項４】
食品を載せる受け皿の有無を判別する受け皿判定手段を有し、制御手段は、前記受け皿判定手段の結果が前記受け皿なしと判定してから残時間を確定することを特徴とする請求項１〜３のいずれか１項に記載の誘導加熱調理器。
【請求項５】
制御手段は、温度検出手段の検出温度が所定の温度に到達すると残時間を確定することを特徴とする請求項１〜４のいずれか１項に記載の誘導加熱調理器。
【請求項６】
音声報知手段を有し、お手入れ動作中またはお手入れ動作終了時にお手入れ動作中またはお手入れ動作終了の動作状態を報知することを特徴とする請求項１〜５のいずれか１項に記載の誘導加熱調理器。
【発明の詳細な説明】
【技術分野】
【０００１】
本発明は一般家庭やレストラン及びオフィスなどで使用される誘導加熱調理器のロースタ庫内のお手入れ動作に関するものである。
【背景技術】
【０００２】
従来、この種の誘導加熱調理器において、ロースタの内壁に油を分解するための触媒機能を有する塗料を塗布し、高温で加熱することでロースタ庫内をお手入れするものが提案されている（例えば、特許文献１参照）。
【特許文献１】特開２００４−２８８６５０号公報
【発明の開示】
【発明が解決しようとする課題】
【０００３】
しかしながら、前記従来の構成では、ロースタ庫内の汚れがひどい時は触媒機能を有する塗料を有効に利用するために、ロースタ庫内を空にして通常のロースタの加熱動作を行っていた。この場合、専用のロースタ庫内のお手入れ動作を行うメニューがないため、間違ってロースタ庫内にロースタ受け皿を入れたままロースタの加熱動作を行う事が生じ、ロースタ受け皿がヒータの熱を遮断してしまいロースタ庫内全体に熱が伝わらなくて各部温度が十分に上昇しないことにより、触媒機能を有する塗料が効果的に働かなくて汚れが落ちにくいという課題を有していた。また、ロースタを加熱する時間をどれくらいにすれば良いのか分からないという課題も有していた。
【０００４】
本発明は、前記従来の課題を解決するもので、ロースタ庫内のお手入れ動作を行うメニューを入れることにより、操作性と安全性を向上した使い勝手の良い誘導加熱調理器を提供することを目的とする。
【課題を解決するための手段】
【０００５】
前記従来の課題を解決するために、本発明の誘導加熱調理器は、ロースタ庫内に収納した食品を加熱する加熱手段と、前記ロースタ庫内の温度を検出する温度検出手段と、前記温度検知手段から検出される温度で前記加熱手段を駆動して前記ロースタ庫内の汚れを焼ききってロースタ庫内のお手入れ動作をする制御手段とを備えたものである。
【０００６】
これによって、ロースタ庫内のお手入れ動作を行うメニューを入れることにより、操作性と安全性を向上した使い勝手の良い誘導加熱調理器を提供することができる。
【発明の効果】
【０００７】
本発明の誘導加熱調理器は、ロースタ庫内のお手入れ動作を行うメニューを入れることにより、操作性と安全性を向上し、使い勝手を良くすることができる。
【発明を実施するための最良の形態】
【０００８】
第１の発明は、ロースタ庫内に収納した食品を加熱する加熱手段と、前記ロースタ庫内の温度を検出する温度検出手段と、前記温度検知手段から検出される温度で前記加熱手段を駆動して前記ロースタ庫内の汚れを焼ききってロースタ庫内をお手入れ動作をする制御手段とを備えたものとすることにより、操作性と安全性を向上し、使い勝手を良くすることができる。
【０００９】
第２の発明は、特に、第１の発明に、残時間表示手段を有し、制御手段は温度検出手段の検出温度によりお手入れ動作の残時間を変更して前記残時間表示手段に表示するとすることにより、操作性を向上し、使い勝手を良くすることができる。
【００１０】
第３の発明は、特に、第１または第２の発明の残時間表示を、お手入れ動作の残時間が確定するまでは、あらかじめ決められたまたはその時点の温度検出手段からの検出温度に応じた残時間を点滅させて、残時間が確定すると残時間を点灯させるとすることにより、操作性を向上し、使い勝手を良くすることができる。
【００１１】
第４の発明は、特に、第１〜３のいずれか１つの発明に、食品を載せる受け皿の有無を判別する受け皿判定手段を有し、制御手段は、前記受け皿判定手段の結果が前記受け皿なしと判定してから残時間を確定するとすることにより、操作性と安全性を向上し、使い勝手を良くすることができる。
【００１２】
第５の発明は、特に、第１〜４のいずれか１つの発明の制御手段を、温度検出手段の検出温度が所定の温度に到達すると残時間を確定するとすることにより、操作性と安全性を向上し、使い勝手を良くすることができる。
【００１３】
第６の発明は、特に、第１〜５のいずれか１つの発明に、音声報知手段を有し、お手入れ動作中またはお手入れ動作終了時にお手入れ動作中またはお手入れ動作終了の動作状態を報知するとすることにより、操作性と安全性を向上し、使い勝手を良くすることができる。
【００１４】
以下、本発明の実施の形態について、図面を用いて説明する。なお、この実施の形態によって本発明が限定されるものではない。
【００１５】
（実施の形態１）
図１は、本発明の第１の実施の形態における誘導加熱調理器の構成を示す斜視図である。以下、図にしたがって、本実施の形態の構成とその機能について説明する。
【００１６】
図１において、外郭ケース１の上部にトップレート２が設けられている。トッププレート２には誘導加熱により鍋などの被加熱物を加熱する加熱部３および輻射加熱をする加熱部４が設けられている。さらに、魚等を焼くロースタ５、および熱源の操作をする操作部６が外郭ケース１の側面に設けられている。また、トッププレート２の下方には誘導加熱コイルおよびラジエントヒータが加熱部３および加熱部４に対応して設けられている。この他に、誘導加熱調理器の発熱する部分として、誘導加熱コイル３の下方に誘導加熱コイル３を制御するインバータ回路を含む制御部が設けられている。
【００１７】
図２は、本発明の実施の形態１における誘導加熱調理器の操作部６のロースタ操作表示部を示したものである。以下、ロースタ操作表示部について説明する。
【００１８】
図２において、状態表示手段１０は液晶等からなり、ロースタ調理の自動メニュー１１と、ロースタ庫内２０の汚れを焼ききってロースタ庫内２０のお手入れ動作をするお手入れメニュー１２と、残時間表示を表示する残時間表示手段１３とがある。
【００１９】
メニュー選択手段１４はロースタ調理の自動メニュー１１を選択するためにあり、選択するごとに自動メニュー１→自動メニュー２→自動メニュー３→自動メニュー１と自動メニューをロータリーで変更することができる。お手入れ動作選択手段１５はロースタ庫内のお手入れ動作を選択するためにあり、ロースタ切／入スイッチ１６はロースタ調理を開始／停止するためにあり、ラジェント切／入スイッチ１７はラジェントヒータ４の加熱を開始／停止するためにあり、ナビゲート表示手段１８は次にロースタ切／入スイッチを選択することを促がすためにありＬＥＤ等からなる。
【００２０】
図３は、本発明の実施の形態１における誘導加熱調理器のロースタ５のブロック図を示したものである。以下、ロースタ５について説明する。
【００２１】
図３において、加熱手段２１はロースタ庫内２０に収納した食品を加熱するためにあり、温度検出手段２２はロースタ庫内２０の温度を検出するためにあり、制御手段２３は温度検知手段２２から検出される温度で加熱手段２１を駆動してロースタ庫内２０の汚れを焼ききってロースタ庫内２０のお手入れ動作をする。受け皿判定手段２５は食品を載せる受け皿２４の有無を判別するためにあり、音声報知手段２６はお手入れ動作中またはお手入れ動作終了時にその動作状態を報知するためにある。
【００２２】
図４は、本発明の実施の形態１における誘導加熱調理器のロースタ庫内２０のお手入れ動作を示すフローチャートであり、マイコンに記憶されたプログラムを示したものである。
【００２３】
以下、ロースタ庫内２０のお手入れ動作について説明する。
【００２４】
まず、図示していない電源スイッチをオンしてロースタ５の初期モードに移行し、ロースタ調理を受け付ける状態にする。ロースタ調理の自動メニュー１１がメニュー選択手段１４によりメニューが選択された場合は、ロースタ切／入スイッチ１６をオンすると、ロースタ自動調理が開始される。お手入れ動作の場合は、Ｓ１００でお手入れ動作選択手段１５が選択されたかどうかを確認する。Ｓ１００でお手入れ動作選択手段１５が選択された場合は、Ｓ１０１で、ロースタ切／入スイッチ１６近傍にあるナビゲート表示手段１８を点滅させる。この動作により次の操作するスイッチが分かり操作の誤操作を防止できる。Ｓ１０２でロースタ切／入スイッチ１６をオンすると、Ｓ１０３でナビゲート表示手段１８を点滅させ、Ｓ１０４でロースタ庫内２０のお手入れ動作を開始する。そして、Ｓ１０５でお手入れ動作が完了するまでの時間を残時間表示手段１３に、例えば、３０分、点滅させて表示する。ここで、残時間表示手段に点滅表示する残時間は温度検出手段２２から検出した温度情報を元に予め制御手段２３に記憶されている残時間データを点滅表示する。
【００２５】
次に、制御手段２３は受け皿判定手段２５により、ロースタの受け皿があるかどうかを判断し、Ｓ１０６でロースタ５の受け皿があると、Ｓ１０７で異常表示を行って手入れ動作を終了させる。Ｓ１０６でロースタ５の受け皿がないと、Ｓ１０８でロースタ庫内２０の温度が所定温度（本実施の形態では、ロースタ５が高温となる３１５℃とする）になるまで加熱手段２１により加熱動作を継続する。そして、Ｓ１０８でロースタ庫内２０の温度が所定温度に到達すると、Ｓ１０９で残時間表示を点滅から点灯し残時間、例えば、２０分程度、を確定する。そして、Ｓ１１０で残時間がゼロになるとお手入れ動作が完了する。
【産業上の利用可能性】
【００２６】
以上のように、本発明にかかる誘導加熱調理器は、ロースタ庫内のお手入れ動作を行うメニューを入れることにより、操作性と安全性を向上した使い勝手の良いものにすることができるので、ロースタを有する一般家庭やレストラン及びオフィスなどで使用される加熱調理器等にも適用できる。
【図面の簡単な説明】
【００２７】
【図１】本発明の実施の形態１における誘導加熱調理器の斜視図
【図２】本発明の実施の形態１における誘導加熱調理器の操作部のロースタ操作表示部を示すブロック図
【図３】本発明の実施の形態１における誘導加熱調理器のロースタを示すブロック図
【図４】本発明の実施の形態１における誘導加熱調理器のロースタのお手入れ動作を示すフローチャート
【符号の説明】
【００２８】
１  外郭ケース
２  トッププレート
３  誘導加熱コイル（加熱部）
４  ラジエントヒータ（加熱部）
５  ロースタ
６  操作部
１０  状態表示手段
１３  残時間表示手段
１５  お手入れ動作選択手段
１６  ロースタ切／入スイッチ
２０  ロースタ庫内
２１  加熱手段
２２  温度検出手段
２３  制御手段
２４  受け皿
２５  受け皿判定手段
２６  音声報知手段
【図１】
2006294433.tif 000003
【図２】
2006294433.tif 000004
【図３】
2006294433.tif 000005
【図４】
2006294433.tif 000006